(57)【要約】【課題】簡単な構造により、厚いものであってもクリップが確実に挟持することができるようにする。【解決手段】軸筒（２）、クリップ（５）及びこれらを連結する連結部（８）を一体に成形すると共に、該連結部（８）のクリップ側基部（８ａ）に折曲自在となる薄肉部（９）を形成した上、該クリップ（５）の後端近傍と軸筒（２）との間で弾性体（１０）を挟持するものとすることで、クリップを簡単に製造することができると共に、クリップ後端近傍を押勢することによりクリップは連結部のクリップ側基部を中心として折曲するので、クリップ先端は大きく拡開して厚いものであっても挟持することが可能となると同時に、該クリップ後端近傍と軸筒との間で挟持されていた弾性体は変形することで反発力を生じているので、該反発力によってクリップを押勢することから、拡開したクリップ先端に厚いものを挟持しても、確実に挟持し続けることができる。【選択図】図３
2005313329.tif 000002
【特許請求の範囲】
【請求項１】
先端に開口部を有する軸筒内に筆記芯を収納してなる筆記具において、
少なくとも該軸筒の後端近傍を樹脂製とし、その表面に軸筒径方向に突設する連結部を介して、先端に係止部を有するクリップを一体に成形すると共に、
該連結部のクリップ側基部に折曲自在となる薄肉部を形成するものであって、
該連結部後方において、クリップと軸筒との間にゴム状の弾性体を挟持してなる筆記具のクリップ。
【請求項２】
上記軸筒とクリップと共に一体に成形される連結部において、該連結部のクリップ側基部に形成する薄肉部から軸筒側基部にかけて段部或いはテーパー状として、連結部におけるクリップ側基部の横断面積より軸筒側基部の横断面積を大きくしてなる請求項１記載の筆記具のクリップ。
【請求項３】
上記軸筒と共に一体に成形されるクリップの後端近傍に、表裏を貫通する固定孔を穿設すると共に、該クリップと軸筒との間に挟持される弾性体を、底面を軸筒表面に密着させる底部の一部に切り欠き部を形成し、その略中央部側面には該固定孔下周縁に密着する係止鍔部を形成した上、上部には該固定孔に挿嵌固持される係止部を形成するものとし、該固定孔に弾性体を挿嵌固持することで、該係止部表面を固定孔の外部に露出させてなる請求項１又は２記載の筆記具のクリップ。
【請求項４】
上記軸筒と共に一体に形成されるクリップの後端近傍を、上方に向かって湾曲するように形成してなる請求項１乃至３記載の筆記具のクリップ。
【請求項５】
上記筆記具の軸筒に代えて、筆記具の軸筒先端に着脱自在に装着されるキャップにおいて一体に成形されてなる請求項１乃至４記載の筆記具のクリップ。
【発明の詳細な説明】
【技術分野】
【０００１】
この発明は、筆記具の軸筒後端近傍やキャップに設けられ、筆記具を衣服や本等に保持可能とする筆記具のクリップに関するものである。
【背景技術】
【０００２】
従来、筆記具を衣服や本等に固持可能とする筆記具のクリップは、樹脂からなる軸筒等と一体に成形するものや、別体の金属等からなるクリップを部品として軸筒等に取り付けるものが一般的である。
【０００３】
しかし、筆記具を衣服や本等に保持可能とする筆記具のクリップを、樹脂からなる軸筒等と一体に成形するものや、別体の金属等からなるクリップを部品として軸筒等に取り付けるものとした場合、次のような欠点がある。
即ち、筆記具のクリップを樹脂からなる軸筒等と一体に成形すると、クリップを拡開する際にクリップの基部にかかる曲げ応力に対する限界が低いので、クリップの折損を防ぐために、クリップの拡開幅を小さくせざるを得なくなる。その結果、クリップの挟持できるものは極めて薄いもの、例えば本やノートの数頁や衣服のポケットなどに限られてしまう。
また、上記クリップを反復して使用したり、クリップの曲げ応力に対する限界を超えて使用すると、クリップの基部に加わる拡開時の曲げ応力により、該クリップの基部に疲労が蓄積し、容易にクラックが発生したり、最悪の場合折損が生じる恐れがある。
一方、クリップが金属製であると、クリップ自体に弾性があるので、曲げ応力に対する限界は高くなり、多少厚いものであってもクリップにより挟持することができるものとなる。しかしながら、やはりクリップの有する曲げ応力に対する限界を超えてしまうと、樹脂製のものに比べてクラックの発生や折損は起こりにくい反面、一旦クリップの弾性が失われて変形すると、クリップは元の状態に復元できなくなるものである。
【０００４】
そのため、筆記具のクリップとして、厚いものであってもクリップにより挟持することができるようにするために次のようなものが提案され実施されている。
即ち、軸筒等の表面に略Ｕ字状の挟みバネの一端側を固定し、該挟みバネの他端側を軸筒等表面に沿わせ、クリップにおける軸筒等との対向面と、軸筒等におけるクリップとの対向面とで形成される枢支部にクリップを枢支し、かつ前記挟みバネの他端部を前記枢支部よりもクリップの前端側に掛止させ、クリップの前端部が軸筒等表面に弾圧接するようにクリップを軸筒等に取り付けてなるものである。
この発明に係るクリップは、クリップにおける軸筒等との対向面と、軸筒等におけるクリップとの対向面とで形成される枢支部にクリップを枢支し、かつ軸筒等とクリップとは金属の挟みバネによって一体に取り付けられているものである。つまり、クリップの挟持できる厚さは、この挟みバネの拡開幅に依存しているものである。従って、クリップによって、より厚いものを挟持できるようにするためには、この挟みバネの拡開幅を大きくすれば容易に行うことができるものである。
ところが、該クリップを開閉するにあたっては、該クリップの開閉動作に伴う応力はこのクリップと軸筒とを一体に取り付けてなる挟みバネにかかるので、クリップを反復して使用しているうちに、従来のものと同様に、該金属製である挟みバネに疲労が蓄積するため弾性が失われ易く、その結果挟みバネにおいてクラックや折損が発生してしまうおそれがあるものとなる。
また、このように軸筒とクリップとを別体とし、各々を挟みバネにより一体に取り付けてなるものであると部品点数が増加するので製造工程が複雑となって、組立行程における破損の発生も多いことから、製造コストが著しく上昇してしまう恐れがある。
【特許文献１】特開２００１−１４６０９４号公報
【発明の開示】
【発明が解決しようとする課題】
【０００５】
解決しようとする問題点は、筆記具のクリップにおいて、安価に製造することができず、反復して使用することで蓄積する疲労によりクラックや折損又は弾性の喪失を防止できず、更に該クリップで厚いものを挟持することができない点である。
そのために、この発明は、筆記具の軸筒に対して、連結部を介してクリップを一体に成形すると共に、該連結部のクリップ側基部を折曲自在となるように薄肉部を形成し、該クリップの後端においてクリップと軸筒との間でゴム状の弾性体を挟持させるものとする。このため、クリップと軸筒とを一体に形成することで安価に製造でき、該連結部のクリップ側基部を薄肉部として折曲自在とした上で、該クリップの後端において軸筒との間でゴム状の弾性体を挟持することで、クリップが厚いものを挟持しても、このゴム状の弾性体の発生する反発力によりクリップは押勢され、厚いものであっても確実に挟持できるものである。
【０００６】
更に、該連結部のクリップ側基部に形成する薄肉部から軸筒側基部にかけて段部或いはテーパー状として、連結部におけるクリップ側基部の断面積より軸筒側基部の断面積を大きくし、また軸筒と共に一体に成形されるクリップの後端近傍を、上方に湾曲するように形成することで、クリップの拡開幅は大きくなるのでより厚いものを挟持することができるものとなる。
尚、軸筒とは別体としてのキャップを有する場合には、該キャップに対してクリップを同様に設けるものである。
【発明の効果】
【０００７】
この発明の筆記具のクリップは、クリップ、軸筒（あるいはキャップ）及びこれらを連結する連結部をも一体に成形するものであるので安価に製造することができる。
そして、該連結部において、クリップ側の連結部を薄肉部とすることにより、クリップは連結部に対して折曲自在となり、更にクリップの後端において該クリップと軸筒（あるいはキャップ）との間でゴム状の弾性体を挟持するので、クリップは大きく拡開して厚いものを挟持することができると共に、クリップと軸筒（あるいはキャップ）との間で挟持されるゴム状の弾性体の反発力が、この大きく拡開し、厚いものを挟持したクリップに対して軸筒（あるいはキャップ）方向へ押勢するので、該クリップは厚いものを確実に挟持し続けることができるものとなる。
【実施例１】
【０００８】
図１は、この発明の実施例である筆記具のクリップ（５）を具える筆記具（１）であり、この筆記具（１）は、内部に出没自在に収納されたボールペン芯等の筆記芯がノック体（３）への打突に応じて出没する開口部（４）を先端に有する樹脂製の軸筒（２）と、この軸筒（２）の後端近傍において、携帯時において衣服のポケットや書籍等に挟持することで筆記具（１）を固持するために使用し、該軸筒（２）と共に成形されてなるこの発明の実施例である筆記具のクリップ（５）とから構成されている。
【０００９】
そして、上記軸筒（２）の後端近傍において成形されるこの発明の実施例である筆記具のクリップ（５）は、軸筒（２）後端近傍の表面において、挟持するものに食い込む波状係止部（６）を先端に有するものであって、軸筒径方向に突設する連結部（８）を介して一体に成形されると共に、該連結部（８）のクリップ側基部（８ａ）に折曲自在となる薄肉部（９）を形成するものである。更に、該連結部（８）後方において、クリップ（５）と軸筒（２）との間にゴム状の弾性体（１０）を挟持してなるものである。
つまり、この発明の実施例である筆記具のクリップ（５）は、具体的には、上記軸筒（２）とクリップ（５）と共に一体に形成される該連結部（８）において、該連結部（８）のクリップ側基部（８ａ）に形成する薄肉部（９）から軸筒側基部（８ｂ）にかけてテーパー部（８ｃ）（図３参照。）或いは段部（８ｄ）（図４参照）として、該連結部（８）におけるクリップ側基部（８ａ）の断面積より軸筒側基部（８ｂ）の断面積を大きくするものである。一方、該クリップ（５）の後端近傍に、表裏を貫通する固定孔（７）を穿設するとともに、該クリップ（５）と軸筒（２）との間に挟持されるゴム状の弾性体（１０）を、底面（１２）を軸筒（２）表面に密着させる底部の一部に切り欠き部（１１）を形成し、その略中央部側面には固定孔下周縁（７ａ）に密着する係止鍔部（１３）を形成した上、上部には該固定孔（７）に挿嵌固持される係止部（１４）を形成する。そして、該固定孔（７）に弾性体（１０）を挿入して、固定孔下周縁（７ａ）に弾性体（１０）の係止鍔部（１３）を係合させて弾性体（１０）を固定することにより、弾性体（１０）上部の係止部（１４）表面を固定孔（７）の外部に露出するように挿嵌固持するものである。
尚、該連結部（８）のクリップ側基部（８ａ）に形成する薄肉部（９）から軸筒側基部（８ｂ）にかけて設けられる段部（８ｄ）やテーパー部（８ｃ）は、図５に示すように、略中央に段部（８ｄ’）を設け、そこから軸筒側基部（８ｂ）へ向けてテーパー部（８ｃ’）を形成してもよい。
【００１０】
ここで、上記軸筒（２）及びクリップ（５）と共に一体に成形される連結部（８）において、クリップ（５）が該連結部（８）に対して折曲自在となるためには、少なくとも連結部（８）のクリップ側基部（８ａ）に薄肉部（９）を形成することが必要となるが、更に該連結部（８）のクリップ側基部（８ａ）に形成する薄肉部（９）から軸筒側基部（８ｂ）にかけてテーパー部（８ｃ）（図３参照。）或いは段部（８ｄ）（図４参照。）として、連結部（８）におけるクリップ側基部（８ａ）の横断面積より軸筒側基部（８ｂ）の横断面積を大きくすることで、拡開したクリップ（５）後端との干渉を防ぐと共に、クリップ（５）の軸筒側基部（８ｂ）における取付剛性が向上するものとなる。そのため、大きなクリップ（５）の拡開動作においても、該クリップ（５）は左右に揺動することなく軸筒（２）に対して垂直に引き上げられるので、正確にクリップ（５）による挟持を行うことができるものとなる。
【００１１】
また、上記軸筒（２）と共に一体に成形されるクリップ（５）の後端近傍において、表裏を貫通する固定孔（７）を穿設する該クリップ（５）と軸筒（２）との間で挟持されるゴム状の弾性体（１０）は、まず底部の一部に切り欠き部（１１）を設けると共に、略中央においてクリップ（５）の固定孔下周縁（７ａ）に密着・係合する係止鍔部（１３）を有しているものである。即ち、まず弾性体（１０）の底部の一部において切り欠き部（１１）を設けることで、クリップ（５）の拡開に伴う押勢による弾性体（１０）の変形を大きくしてクリップ（５）の拡開幅を増やすと同時に、弾性体（１０）自体の変形を大きくすることにより生まれる反発力を増大させることもできる。このため、クリップ（５）は厚いものでも確実に挟持したままの状態となるものである。次に、略中央の係止鍔部（１３）は、クリップ（５）の固定孔下周縁（７ａ）に密着・係合するので、クリップ（５）を指により押勢したときに、その力の入力方向がずれて弾性体（１０）が揺動してしまっても、その入力された力を常に該係止鍔部（１３）が受け止めて満遍なく弾性体（１０）に伝達して、確実に弾性体（１０）の変形を促すことができるものである。
ところで、クリップ（５）と軸筒（２）との間で挟持されるゴム状の弾性体（１０）は、連結部（８）において折曲したクリップ（５）に対して、挟持する力の源となる反発力を付与するためだけであれば、単にクリップ（５）と軸筒（２）との間に挟持すれば足りるものである。ところが、この発明の実施例のように、底部の一部に切り欠き部（１１）を形成しつつその底面（１２）を軸筒（２）表面に密着させると共に、上部の係止部（１４）の表面を該クリップ（５）の固定孔（７）から外部に露出するように該固定孔（７）内に弾性体（１０）を挿嵌固持すると、クリップ（５）を指などで押す際に、弾性体（１０）と指等との間での摩擦力が高まることで滑りにくく正確なクリップ（５）の押勢が可能となり、確実なクリップ（５）の拡開動作を行えるようになるものである。
【００１２】
その上、上記軸筒（２）と共に一体に形成されるクリップ（５）の後端近傍を、上方に湾曲するように形成することで（図示せず。）、クリップ（５）後端近傍を平面として形成するよりも、クリップ（５）を拡開した際に、クリップ（５）の後端と軸筒（２）との干渉する距離を大きくすることができるものとなる。その結果、クリップ（５）の拡開量が大きくなり、該クリップ（５）はより厚いものを挟持することができるようになるものである。
【００１３】
なお、軸筒（２）と共に、この発明の実施例である筆記具のクリップ（５）を形成する素材としては、軸筒（２）とクリップ（５）とを一体に連結する連結部（８）のクリップ側基部（８ａ）を折曲自在となるように薄肉部（９）とし、かつ該薄肉部（９）が反復して折曲しても疲労を蓄積せずに変形や破断が起こりにくい樹脂、例えばポリプロピレン樹脂を用いるものが適当である。
また、クリップ（５）と軸筒（２）との間で挟持される弾性体（１０）としては、クリップ（５）の拡開幅とクリップ（５）の挟持する力とを最大限に確保する必要があることから、クリップ（５）への押勢による連結部（８）の薄肉部（９）の折曲によって大きく変形すると共に、この変形と共に元の形状に戻ろうとする復元力、即ち反発力の大きい素材が適当なものである。そのため、弾性材（１０）として使用する素材としては、例えばシリコンゴムが適当である。
【００１４】
以上のように、この発明の実施例である筆記具のクリップ（５）は構成されるので、筆記具のクリップ（５）として使用する際には、図６において示すようになる。
まず、軸筒（２）と共に一体に成形されたクリップ（５）の後端近傍において穿設される固定孔（７）内に挿嵌固持されるゴム状の弾性体（１０）の係止部（１４）の外部に露出している表面を指等（ｆ）により押勢する。このとき、指等（ｆ）で押勢する該係止部（１４）の表面は、クリップ（５）と軸筒（２）とを一体に連結する連結部（８）より後方に配置されると共に、クリップ（５）は、軸筒（２）と一体に成形される連結部（８）のクリップ側基部（８ａ）を薄肉部（９）として折曲自在となっているので、上記指等（ｆ）による係止部（１４）の表面への押勢により、連結部（８）のクリップ側基部（８ａ）の薄肉部（９）が後方に向けて折曲ることとなって、クリップ（５）先端は拡開することとなる。
一方、クリップ（５）の後端では、上記クリップ（５）先端の拡開に伴って軸筒（２）方向に閉成することとなるが、その際、弾性体（１０）は、クリップ（５）の後端近傍と軸筒（２）との間で、その略中央部に周設する係止鍔部（１３）を固定孔下周縁（７ａ）に密着・係合させつつ挟持されるので、該クリップ（５）の後端近傍への圧力が左右に揺動しても、該係止鍔部（１３）により満遍なく弾性体（１０）に伝達されるものとなる。従って、このクリップ（５）の圧力により、弾性体（１０）は、この底部に形成される切り欠き部（１１）を中心として大きく崩れながら変形するものとなる。それと同時に、該弾性体（１０）は、クリップ（５）の特にその後端近傍を、弾性体（１０）の反発力をもって元の方向へ復元しようと押勢することとなる。
そして、該連結部（８）のクリップ側基部（８ａ）を中心に折曲することで拡開するクリップ（５）に対して、挟持すべきものを差し込んだ上で、該クリップ（５）の後端近傍において外部に露出する弾性体（１０）の係止部（１４）表面への押勢を中止することで、上記クリップ（５）の拡開時に大きく変形した弾性体（１０）の反発力によりクリップ（５）は、連結部（８）のクリップ側基部（８ａ）を中心として元の状態へ復元、即ち閉成動作を行うものとなる。その結果、クリップ（５）の先端に設ける波状係止部（６）はクリップ（５）と軸筒（２）との間に挟持されるものに食い込むと共に、変形した弾性体（１０）の反発力によりクリップ（５）は元の状態に復帰するように押勢され続けているので、このクリップ（５）による挟持状態は維持され、本の表紙などの厚いものであっても確実に筆記具（１）を固持させることができるものとなる。
【００１５】
逆に、筆記具のクリップ（５）としての使用後は、クリップ（５）と軸筒（２）との間に挟持されているものを引き抜くことで、クリップ（５）は、変形することでクリップ（５）を押勢し続けていた弾性体（１０）の反発力により、更に押勢されるものとなる。その結果、軸筒（２）とクリップ（５）とを一体に連結する連結部（８）のクリップ側基部（８ａ）は当初の状態、即ち直立状態にまで復元するものとなる。その結果、クリップ（５）は、その先端に有する波状係止部（６）が軸筒（２）の表面に当接するまで閉成するものである。
【００１６】
なお、この発明の筆記具のクリップ（５）は、軸筒（２）の後端近傍に対して連結部（８）と共に一体に形成されるものであるが、軸筒に対して脱着自在なキャップ（１５）を装着する筆記具においては、該キャップ（１５）において、同様の構造を有するクリップ（５’）を取りつけることで、該筆記具を厚いものに挟持させて固持することができるものとなる。すなわち、例えば図７に示すように、キャップ（１５）とクリップ（５’）と共に一体に形成される連結部（８’）において、該連結部（８’）のクリップ側基部（８ａ’）に形成する薄肉部（９’）からキャップ側基部（８ｅ）にかけて、略中央に段部（８ｄ”）を設け、そこからキャップ側基部（８ｅ）へ向けてテーパー部（８ｃ”）として、該連結部（８）におけるクリップ側基部（８ａ’）の断面積よりキャップ側基部（８ｅ）の断面積を大きくするものである（尚、段部及びテーパー部の構成は、図３あるいは図４に示す構成としてもよい。）。一方、該クリップ（５’）の後端近傍に、表裏を貫通する固定孔（７’）を穿設するとともに、該クリップ（５’）とキャップ（１５）表面との間に挟持されるゴム状の弾性体（１０’）を、底面（１２’）をキャップ（１５）表面に密着させる底部の一部に切り欠き部（１１’）を形成し、その略中央部側面には固定孔下周縁（７ａ’）に密着する係止鍔部（１３’）を形成した上、上部には該固定孔（７’）に挿嵌固持される係止部（１４’）を形成する。そして、該固定孔（７’）に弾性体（１０’）を挿入して、固定孔下周縁（７ａ’）に弾性体（１０’）の係止鍔部（１３’）を係合させて弾性体（１０’）を固定することにより、弾性体（１０’）上部の係止部（１４’）表面を固定孔（７’）の外部に露出するように挿嵌固持するものである。
【産業上の利用可能性】
【００１７】
簡単な構造により、厚いものであっても確実に挟持し、且つ挟持し続けることができるので、シャープペンシルやボールペン等の筆記具に留まらず、簡易に携帯することのあるあらゆる商品において適用することができる。
【図面の簡単な説明】
【００１８】
【図１】この発明の実施例であるクリップを具える筆記具の正面図である。
【図２】この発明の実施例であるクリップを具える筆記具の側面図である。
【図３】この発明の実施例であるクリップの要部拡大断面図である。
【図４】この発明の実施例であるクリップの連結部の変形例を適用した要部拡大断面図である。
【図５】この発明の実施例であるクリップの連結部の更に別の変形例を適用した要部拡大断面図である。
【図６】この発明の実施例のクリップの作用状態を示す模式図である。
【図７】この発明の実施例であるクリップを具えるキャップの要部拡大断面図である。
【符号の説明】
【００１９】
１  筆記具
２  軸筒
３  ノック体
４  開口部
５、５’  クリップ
６、６’  波状係止部
７、７’  固定孔
７ａ、７ａ’  固定孔下周縁
８、８’  連結部
８ａ、８ａ’  クリップ側基部
８ｂ  軸筒側基部
８ｃ、８ｃ’、８ｃ”  テーパー部
８ｄ、８ｄ’、８ｄ”  段部
８ｅ  キャップ側基部
９、９’    薄肉部
１０、１０’  弾性体
１１、１１’  切り欠き部
１２、１２’  底面
１３、１３’  係止鍔部
１４、１４’  係止部
１５  キャップ
ｆ    指
【図１】
2005313329.tif 000003
【図２】
2005313329.tif 000004
【図３】
2005313329.tif 000005
【図４】
2005313329.tif 000006
【図５】
2005313329.tif 000007
【図６】
2005313329.tif 000008
【図７】
2005313329.tif 000009